(57)【要約】【課題】  従来から、この種のメタルハライドランプは一旦電源を切ると再点灯させるのに一定温度まで冷却しなければ成らなく、例えば、一般的な５５ｍｍφの外側ガラス管にメタルハライドランプを内装すると共に、外側ガラス管とメタルハライドランプとの間に窒素ガスを封入した３０ｍｍφのメタルハライドランプでは再点灯まで６分３０秒程度待機しなければ成らなかった。【解決手段】  本発明は、直管型ロングアークのメタルハライドランプ１を外側にエア流通路２ａを設けて内装させた外側ガラス管２と、外側ガラス管の片方の開口端に内設した冷却用送風ファン３を備えたものであり、更に、冷却用送風ファンは点灯時消灯時共に連続させて稼動させるものであり、又は、冷却用送風ファンは消灯時に稼動させ点灯時には停止させるものである。【選択図】  図１
2005235721.tif 000002
【特許請求の範囲】
【請求項１】
直管型ロングアークのメタルハライドランプにおいて、前記メタルハライドランプを外側にエア流通路を設けて内装させた外側ガラス管と、該外側ガラス管の片方の開口端に内設した冷却用送風ファンを備えたことを特徴とするメタルハライドランプの冷却装置。
【請求項２】
前記冷却用送風ファンはメタルハライドランプの点灯時消灯時共に連続させて稼動させることを特徴とする請求項１に記載のメタルハライドランプの冷却方法。
【請求項３】
前記冷却用送風ファンはメタルハライドランプの消灯時に稼動させ点灯時には停止させることを特徴とする請求項１に記載のメタルハライドランプの冷却方法。
【発明の詳細な説明】
【技術分野】
【０００１】  本発明はメタルハライドランプの冷却装置とその冷却方法に関するものであり、更に、詳細には、メタルハライドランプを消灯後に再点灯するための時間を短縮するメタルハライドランプの冷却装置とその冷却方法に関するものである。
【背景技術】
【０００２】  従来から、この種のメタルハライドランプは一旦電源を切ると再点灯させるのに一定温度まで冷却しなければ成らなく、例えば、一般的な外径が５５ｍｍφ、内径が５０ｍｍφの外側ガラス管にメタルハライドランプを内装すると共に、外側ガラス管とメタルハライドランプとの間に窒素ガスを封入した３０ｍｍφのメタルハライドランプでは再点灯まで６分３０秒程度待機しなければ成らなかった。【０００３】  然し乍ら、メタルハライドランプの点灯、消灯を繰り返し短時間で再点灯させる必要のある分野は限られており、この種の開発は遅れているのが実情である。【０００４】  その為、冷却機能を備えたものとして、例えば、ランプハウス内には棒状のランプと断面が楕円形状の樋状のミラーが収納されており、ミラーにはランプを冷却するためのエアを送出する風穴が設けられ、ファンから送出されるエアはダクト風洞を介して上記風穴から送出され、また、ランプの管端部の上部にも冷却用エアを送出する開口部が設けられ、開口部とランプの管端部間には管端部へ吹き付けられるエアを調節する風量調整機構が設けられており、制御手段は、ランプへの電気入力（ランプ照度）に応じて、ファンから送出される風量、風量調整機構の遮風板の位置を調整し、ランプ全体に送出される冷却風量、および、管端部へ送出される風量を調整するもの（特許文献１参照）や、電界の変化に応じて、冷却ファンの回転を変化させ、蒸気圧を決定するのに大きく影響する温度を一定に保つことで、ランプ電圧、色温度の経時変化はなくなり、また、保温膜部を局所冷却することにより、メタルハライド液相部のたまりは、保温膜部に固定され、光の出射効率を向上させることができるもの（特許文献２参照）等が開示されている。
【特許文献１】特開平９−１４７８０５号公報
【特許文献２】特開平１０−１２５２８７号公報
【発明の開示】
【発明が解決しようとする課題】
【０００５】  然し乍ら、先に開示された、ランプハウス内には棒状のランプと断面が楕円形状の樋状のミラーが収納されており、ミラーにはランプを冷却するためのエアを送出する風穴が設けられ、ファンから送出されるエアはダクト、風洞を介して上記風穴から送出され、また、ランプの管端部の上部にも冷却用エアを送出する開口部が設けられ、開口部とランプの管端部間には管端部へ吹き付けられるエアを調節する風量調整機構が設けられており、制御手段は、ランプへの電気入力（ランプ照度）に応じて、ファンから送出される風量、風量調整機構の遮風板の位置を調整し、ランプ全体に送出される冷却風量、および、管端部へ送出される風量を調整するものでは、メタルハライドランプや水銀ランプ等の棒状のランプを冷却するものであるが、再点灯の目的のために冷却するものではなく、ランプ各部の温度が最適な温度に冷却して保持されるようしたもので、構造も複雑なものと成っている。【０００６】  又、電界の変化に応じて、冷却ファンの回転を変化させ、蒸気圧を決定するのに大きく影響する温度を一定に保つことで、ランプ電圧、色温度の経時変化はなくなり、また、保温膜部を局所冷却することにより、メタルハライド液相部のたまりは、保温膜部に固定され、光の出射効率を向上させることができるものでは、メタルハライドランプのランプ電圧、色温度の経時変化がなく、より集光効率をあげることを目的としているもので、再点灯を目的とはしてないものである。
【課題を解決するための手段】
【０００７】  本発明は前述の課題に鑑み、鋭意研鑽の結果、請求項１に記載のメタルハライドランプの冷却装置は、直管型ロングアークのメタルハライドランプにおいて、メタルハライドランプを外側にエア流通路を設けて内装させた外側ガラス管と、外側ガラス管の片方の開口端に内設した冷却用送風ファンを備えたものである。【０００８】  更に、請求項２に記載のメタルハライドランプの冷却方法は、請求項１に記載のメタルハライドランプの冷却装置を用いて、冷却用送風ファンはメタルハライドランプの点灯時消灯時共に連続させて稼動させるものである。【０００９】  更には、請求項３に記載のメタルハライドランプの冷却方法は、請求項１に記載のメタルハライドランプの冷却装置を用いて、冷却用送風ファンはメタルハライドランプの消灯時に稼動させ点灯時には停止させるものである。
【発明の効果】
【００１０】  本発明のメタルハライドランプの冷却装置とその冷却方法は、メタルハライドランプの外側にエア流通路を設けて外側ガラス管に内装させ、外側ガラス管の片方の開口端に冷却用送風ファンを内設したことにより、簡易な構造で高効率に冷却することが可能であり、更に、その冷却方法の冷却用送風ファンはメタルハライドランプの点灯時消灯時共に連続させて稼動させる、又は、冷却用送風ファンはメタルハライドランプの消灯時には稼動させ点灯時には停止させるもので、簡易な装置で確実に再点灯の時間を短縮させるもので、画期的で極めて実用性の高い発明である。
【発明を実施するための最良の形態】
【００１１】  本発明はメタルハライドランプの冷却装置とその冷却方法に関するものであり、更に、詳細には、メタルハライドランプを消灯後に再点灯するための時間を短縮するメタルハライドランプの冷却装置とその冷却方法に関するものであり、請求項１に記載のメタルハライドランプの冷却装置は、直管型ロングアークのメタルハライドランプ１において、前記メタルハライドランプ１を外側にエア流通路２ａを設けて内装させた外側ガラス管２と、該外側ガラス管２の片方の開口端に内設した冷却用送風ファン３を備えたものである。【００１２】  更に、請求項２に記載のメタルハライドランプの冷却方法は、請求項１に記載のメタルハライドランプの冷却装置を用いて、前記送風ファンはメタルハライドランプ１の点灯時消灯時共に連続させて稼動させるものである。【００１３】  更に、請求項３に記載のメタルハライドランプの冷却方法は、請求項１に記載のメタルハライドランプの冷却装置を用いて、前記送風ファンはメタルハライドランプ１の消灯時に稼動させ点灯時には停止させるものである。
【実施例】
【００１４】  以下、本発明のメタルハライドランプの冷却装置とその冷却方法の実施例の図面を用いて詳細に説明すると、図１は本発明のメタルハライドランプの冷却装置の実施例の概要を説明するための概要側面図であり、図２は一般的なメタルハライドランプの概要を説明するための概要側面図であり、図３は本発明のメタルハライドランプの冷却装置とその冷却方法の実施例のデータを対比した再点灯時間と温度及び輝度を表すグラフである。【００１５】  即ち、本発明のメタルハライドランプの冷却装置の直管型ロングアークのメタルハライドランプ１は公知のもので、図１に図示する如く、透明の石英発光管１ａの内部に水銀ガス等の複数の金属のガスを封入すると共に両端に電極１ｂを備えており、夫々の電極１ｂから外部に外部リード線１ｃを延設しており、外部リード線１ｃは電源（図示しない）と接続され点灯消灯をするもので、実施例に用いたのメタルハライドランプ１は石英発光管１ａの直径が３０ｍｍ、全長が３６０ｍｍ、夫々の電極１ｂの間が２８０ｍｍのサイズのもので、ランプ電流は１４Ａ、ランプ電圧は３００Ｖ±５％、ランプ出力４ＫＷのものである。【００１６】  そして、透明の外側ガラス管２は両端に開口端を有した外径が５５ｍｍ、内径が５０ｍｍ、長さが６００ｍｍのものであり、メタルハライドランプ１の石英発光管１ａの外側にエア流通路２ａを設けて適宜に内装させるもので、実施例では石英発光管１ａの外側と外側ガラス管２の内側との間には全周に１０ｍｍのエア流通路２ａを設けているものである。【００１７】  次に、冷却用送風ファン３は駆動源のモーター（図示しない）によって駆動するもので、外側ガラス管２の片方の開口端に内設しているもので、冷却用送風ファン３を駆動することによりエア流通路２ａをエアが通過してメタルハライドランプ１を冷却させるものである。【００１８】  更に、本発明のメタルハライドランプの冷却方法の実施例では前記メタルハライドランプ１の冷却装置を用いて、冷却用送風ファン３はメタルハライドランプ１の点灯時消灯時共に連続させて稼動させて冷却を実施するものである。【００１９】  更には、次実施例は前記メタルハライドランプの冷却装置を用いて、冷却用送風ファン３はメタルハライドランプ１の消灯時には稼動させ点灯時には停止させるものである。【００２０】  次いで、本発明のメタルハライドランプの冷却装置とその冷却方法を室温２３℃の同じ条件で実験し、その実験例のデータを対比した再点灯時間と温度及び輝度との関係を矢印Ａ点で測定した結果を図３に図示したものである。【００２１】  その結果、ａ線は従来使用されている図２に図示する一般的なメタルハライドランプ１を用いたもので、メタルハライドランプ１を外側ガラス管２に内装させて、外側ガラス管２を密封して窒素ガスを１５０Ｔｏｏｒにして封入したものであり、点灯後２分で略輝度は１００％、測定点Ａでの測定温度は略５００℃に達するものであり、一定時間点灯後に消灯すると再点灯温度の約１４０℃に成るのに約６分３０秒を要するものである。【００２２】  更には、ｂ線はメタルハライドランプ１を両端に開口端を有した外側ガラス管２に内装させて、大気中で実験したものであり、輝度は１％〜２％���度落ちるものの、自然にエアが流通して冷却され、再点灯温度の約１４０℃に成るのに約４分３０秒を要するものである。【００２３】  そして、ｃ線は本発明のメタルハライドランプの冷却装置を用いて、冷却用送風ファン３は常時可動状態で送風量の条件を変えて実験したもので、つまり、冷却用送風ファン３を駆動させるモーターの容量を変えたものであり、点灯して安定点灯に成るまでは殆ど変わらなく、輝度が３％程度低下するものであるが、実用上差し障りはないものである。【００２４】  そして、ｃ−１線は駆動用のモーターの電圧を１２Ｖ、電流を０．１Ａ、出力を１．２Ｗとしたもので、この場合、再点灯温度の１４０℃に成るのに２分４０秒の時間を要し、ｃ−２線はモーターの電圧を１２Ｖ、電流を０．２Ａ、出力を２．４Ｗとしたもので、この場合、再点灯温度の１４０℃に成るのに１分５０秒の時間を要し、ｃ−３線はモーターの電圧を１２Ｖ、電流を０．３Ａ、出力を３．６Ｗとしたもので、この場合、再点灯温度の１４０℃に成るのに１分３０秒の時間を要したものである。【００２５】  尚、前記実験は冷却用送風ファン３をメタルハライドランプ１の点灯時消灯時共に連続させて稼動したものであるが、点灯と共に送風ファンの送風を停止させ消灯と共に冷却用送風ファン３を稼動させても結果的に大きな差は無いことが判明した。
【産業上の利用可能性】
【００２６】  本発明のメタルハライドランプの冷却装置とその冷却方法は、メタルハライドランプの点灯、消灯を短時間に繰り返す分野での再点灯の時間を大幅に短縮して作業効率を向上させるものである。
【図面の簡単な説明】
【００２７】
【図１】  図１は本発明のメタルハライドランプの冷却装置の実施例の概要を説明するための概要側面図である。
【図２】  図２は従来のメタルハライドランプの概要を説明するための概要側面図であり、
【図３】  図３は本発明のメタルハライドランプの冷却装置とその冷却方法の実施例のデータを対比した再点灯時間と温度を表すグラフである。
【符号の説明】
【００２８】１      メタルハライドランプ
１ａ    石英発光管
１ｂ    電極
１ｃ    外部リード線
２      外側ガラス管
２ａ    エア流通路
３      冷却用送風ファン
【図１】
2005235721.tif 000003
【図２】
2005235721.tif 000004
【図３】
2005235721.tif 000005
【手続補正書】
【提出日】平成16年4月7日(2004.4.7)
【手続補正１】
【補正対象書類名】明細書
【補正対象項目名】全文
【補正方法】変更
【補正の内容】
【発明の詳細な説明】
【技術分野】
【０００１】  本発明はメタルハライドランプ又は水銀灯の冷却装置とその冷却方法に関するものであり、更に、詳細には、メタルハライドランプ又は水銀灯を消灯後に再点灯するための時間を短縮するメタルハライドランプ又は水銀灯の冷却装置とその冷却方法に関するものである。
【背景技術】
【０００２】  従来から、この種のメタルハライドランプ又は水銀灯は一旦電源を切ると再点灯させるのに一定温度まで冷却しなければ成らなく、例えば、一般的な外径が５５ｍｍφ、内径が５０ｍｍφの外側ガラス管にメタルハライドランプを内装すると共に、外側ガラス管とメタルハライドランプとの間に窒素ガスを封入した３０ｍｍφのメタルハライドランプでは再点灯まで６分３０秒程度待機しなければ成らなかった。【０００３】  然し乍ら、メタルハライドランプ又は水銀灯の点灯、消灯を繰り返し短時間で再点灯させる必要のある分野は限られており、この種の開発は遅れているのが実情である。【０００４】  その為、冷却機能を備えたものとして、例えば、ランプハウス内には棒状のランプと断面が楕円形状の樋状のミラーが収納されており、ミラーにはランプを冷却するためのエアを送出する風穴が設けられ、ファンから送出されるエアはダクト、風洞を介して上記風穴から送出され、また、ランプの管端部の上部にも冷却用エアを送出する開口部が設けられ、開口部とランプの管端部間には管端部へ吹き付けられるエアを調節する風量調整機構が設けられており、制御手段は、ランプへの電気入力（ランプ照度）に応じて、ファンから送出される風量、風量調整機構の遮風板の位置を調整し、ランプ全体に送出される冷却風量、および、管端部へ送出される風量を調整するもの（特許文献１参照）や、電界の変化に応じて、冷却ファンの回転を変化させ、蒸気圧を決定するのに大きく影響する温度を一定に保つことで、ランプ電圧、色温度の経時変化はなくなり、また、保温膜部を局所冷却することにより、メタルハライド液相部のたまりは、保温膜部に固定され、光の出射効率を向上させることができるもの（特許文献２参照）等が開示されている。
【特許文献１】特開平９−１４７８０５号公報
【特許文献２】特開平１０−１２５２８７号公報
【発明の開示】
【発明が解決しようとする課題】
【０００５】  然し乍ら、先に開示された、ランプハウス内には棒状のランプと断面が楕円形状の樋状のミラーが収納されており、ミラーにはランプを冷却するためのエアを送出する風穴が設けられ、ファンから送出されるエアはダクト、風洞を介して上記風穴から送出され、また、ランプの管端部の上部にも冷却用エアを送出する開口部が設けられ、開口部とランプの管端部間には管端部へ吹き付けられるエアを調節する風量調整機構が設けられており、制御手段は、ランプへの電気入力（ランプ照度）に応じて、ファンから送出される風量、風量調整機構の遮風板の位置を調整し、ランプ全体に送出される冷却風量、および、管端部へ送出される風量を調整するものでは、メタルハライドランプや水銀ランプ等の棒状のランプを冷却するものであるが、再点灯の目的のために冷却するものではなく、ランプ各部の温度が最適な温度に冷却して保持されるようしたもので、構造も複雑なものと成っている。【０００６】  又、電界の変化に応じて、冷却ファンの回転を変化させ、蒸気圧を決定するのに大きく影響する温度を一定に保つことで、ランプ電圧、色温度の経時変化はなくなり、また、保温膜部を局所冷却することにより、メタルハライド液相部のたまりは、保温膜部に固定され、光の出射効率を向上させることができるものでは、メタルハライドランプのランプ電圧、色温度の経時変化がなく、より集光効率をあげることを目的としているもので、再点灯を目的とはしてないものである。
【課題を解決するための手段】
【０００７】  本発明は前述の課題に鑑み、鋭意研鑽の結果、請求項１に記載のメタルハライドランプ又は水銀灯の冷却装置は、直管型ロングアークのメタルハライドランプ又は水銀灯において、メタルハライドランプ又は水銀灯を外側にエア流通路を設けて内装させた外側ガラス管と、外側ガラス管の片方の開口端に内設した冷却用送風ファンを備えたものである。【０００８】  更に、請求項２に記載のメタルハライドランプ又は水銀灯の冷却方法は、請求項１に記載のメタルハライドランプ又は水銀灯の冷却装置を用いて、冷却用送風ファンはメタルハライドランプ又は水銀灯の点灯時消灯時共に連続させて稼動させるものである。【０００９】  更には、請求項３に記載のメタルハライドランプ又は水銀灯の冷却方法は、請求項１に記載のメタルハライドランプ又は水銀灯の冷却装置を用いて、冷却用送風ファンはメタルハライドランプ又は水銀灯の消灯時に稼動させ点灯時には停止させるものである。
【発明の効果】
【００１０】  本発明のメタルハライド又は水銀灯の冷却装置とその冷却方法は、メタルハライドランプ又は水銀灯の外側にエア流通路を設けて外側ガラス管に内装させ、外側ガラス管の片方の開口端に冷却用送風ファンを内設したことにより、簡易な構造で高効率に冷却することが可能であり、更に、その冷却方法の冷却用送風ファンはメタルハライドランプ又は水銀灯の点灯時消灯時共に連続させて稼動させる、又は、冷却用送風ファンはメタルハライドランプ又は水銀灯の消灯時には稼動させ点灯時には停止させるもので、簡易な装置で確実に再点灯の時間を短縮させるもので、画期的で極めて実用性の高い発明である。
【発明を実施するための最良の形態】
【００１１】  本発明はメタルハライドランプ又は水銀灯の冷却装置とその冷却方法に関するものであり、更に、詳細には、メタルハライドランプ又は水銀灯を消灯後に再点灯するための時間を短縮するメタルハライドランプ又は水銀灯の冷却装置とその冷却方法に関するものであり、請求項１に記載のメタルハライドランプ又は水銀灯の冷却装置は、直管型ロングアークのメタルハライドランプ又は水銀灯１において、前記メタルハライドランプ又は水銀灯１を外側にエア流通路２ａを設けて内装させた外側ガラス管２と、該外側ガラス管２の片方の開口端に内設した冷却用送風ファン３を備えたものである。【００１２】  更に、請求項２に記載のメタルハライドランプ又は水銀灯の冷却方法は、請求項１に記載のメタルハライドランプ又は水銀灯の冷却装置を用いて、前記送風ファンはメタルハライドランプ又は水銀灯１の点灯時消灯時共に連続させて稼動させるものである。【００１３】  更に、請求項３に記載のメタルハライドランプ又は水銀灯の冷却方法は、請求項１に記載のメタルハライドランプ又は水銀灯の冷却装置を用いて、前記送風ファンはメタルハライドランプ又は水銀灯１の消灯時に稼動させ点灯時には停止させるものである。
【実施例】
【００１４】  以下、本発明のメタルハライドランプ又は水銀灯の冷却装置とその冷却方法の実施例の図面を用いて詳細に説明すると、図１は本発明の実施例でメタルハライドランプを用いた冷却装置の概要を説明するための概要側面図であり、図２は一般的なメタルハライドランプの概要を説明するための概要側面図であり、図３は本発明の実施例でメタルハライドランプを用いた冷却装置その冷却方法の実施例のデータを対比した再点灯時間と温度及び輝度を表すグラフである。【００１５】  即ち、本発明のメタルハライドランプ又は水銀灯の冷却装置の直管型ロングアークのメタルハライドランプ１を用いて説明すると、図１に図示する如く、透明の石英発光管１ａの内部に水銀ガス等の複数の金属のガスを封入すると共に両端に電極１ｂを備えており、夫々の電極１ｂから外部に外部リード線１ｃを延設しており、外部リード線１ｃは電源（図示しない）と接続され点灯消灯をするもので、実施例に用いたのメタルハライドランプ１は石英発光管１ａの直径が３０ｍｍ、全長が３６０ｍｍ、夫々の電極１ｂの間が２８０ｍｍのサイズのもので、ランプ電流は１４Ａ、ランプ電圧は３００Ｖ±５％、ランプ出力４ＫＷのものである。【００１６】  そして、透明の外側ガラス管２は両端に開口端を有した外径が５５ｍｍ、内径が５０ｍｍ、長さが６００ｍｍのものであり、メタルハライドランプ１の石英発光管１ａの外側にエア流通路２ａを設けて適宜に内装させるもので、実施例では石英発光管１ａの外側と外側ガラス管２の内側との間には全周に１０ｍｍのエア流通路２ａを設けているものである。【００１７】  次に、冷却用送風ファン３は駆動源のモーター（図示しない）によって駆動するもので、外側ガラス管２の片方の開口端に内設しているもので、冷却用送風ファン３を駆動することによりエア流通路２ａをエアが通過してメタルハライドランプ１を冷却させるものである。【００１８】  更に、本発明のメタルハライドランプ又は水銀灯の冷却方法の実施例では、前記メタルハライドランプ１の冷却装置を用いて、冷却用送風ファン３はメタルハライドランプ１の点灯時消灯時共に連続させて稼動させて冷却を実施するものである。【００１９】  更には、本発明のメタルハライドランプ又は水銀灯の冷却方法の次実施例では、前記メタルハライドランプ１の冷却装置を用いて、冷却用送風ファン３はメタルハライドランプ１の消灯時には稼動させ点灯時には停止させるものである。【００２０】  次いで、本発明のメタルハライドランプ又は水銀灯の冷却装置とその冷却方法を、メタルハライドランプ１を用いて、室温２３℃の同じ条件で実験し、その実験例のデータを対比した再点灯時間と温度及び輝度との関係を矢印Ａ点で測定した結果を図３に図示したものである。【００２１】  その結果、ａ線は従来使用されている図２に図示する一般的なメタルハライドランプ１を用いたもので、メタルハライドランプ１を外側ガラス管２に内装させて、外側ガラス管２を密封して窒素ガスを１５０Ｔｏｏｒにして封入したものであり、点灯後２分で略輝度は１００％、測定点Ａでの測定温度は略５００℃に達するものであり、一定時間点灯後に消灯すると再点灯温度の約１４０℃に成るのに約６分３０秒を要するものである。【００２２】  更には、ｂ線はメタルハライドランプ１を両端に開口端を有した外側ガラス管２に内装させて、大気中で実験したものであり、輝度は１％〜２％程度落ちるものの、自然にエアが流通して冷却され、再点灯温度の約１４０℃に成るのに約４分３０秒を要するものである。【００２３】  そして、ｃ線は本発明のメタルハライドランプの冷却装置を用いて、冷却用送風ファン３は常時可動状態で送風量の条件を変えて実験したもので、つまり、冷却用送風ファン３を駆動させるモーターの容量を変えたものであり、点灯して安定点灯に成るまでは殆ど変わらなく、輝度が３％程度低下するものであるが、実用上差し障りはないものである。【００２４】  そして、ｃ−１線は駆動用のモーターの電圧を１２Ｖ、電流を０．１Ａ、出力を１．２Ｗとしたもので、この場合、再点灯温度の１４０℃に成るのに２分４０秒の時間を要し、ｃ−２線はモーターの電圧を１２Ｖ、電流を０．２Ａ、出力を２．４Ｗとしたもので、この場合、再点灯温度の１４０℃に成るのに１分５０秒の時間を要し、ｃ−３線はモーターの電圧を１２Ｖ、電流を０．３Ａ、出力を３．６Ｗとしたもので、この場合、再点灯温度の１４０℃に成るのに１分３０秒の時間を要したものである。【００２５】  尚、前記実験は冷却用送風ファン３をメタルハライドランプ１の点灯時消灯時共に連続させて稼動したものであるが、点灯と共に送風ファンの送風を停止させ消灯と共に冷却用送風ファン３を稼動させても結果的に大きな差は無いことが判明した。
【産業上の利用可能性】
【００２６】  本発明のメタルハライドランプ又は水銀灯の冷却装置とその冷却方法は、メタルハライドランプ又は水銀灯の点灯、消灯を短時間に繰り返す分野での再点灯の時間を大幅に短縮して作業効率を向上させるものである。
【図面の簡単な説明】
【００２７】
【図１】  図１は本発明のメタルハライドランプ又は水銀灯の冷却装置の実施例の概要を説明するための概要側面図である。
【図２】  図２は従来のメタルハライドランプの概要を説明するための概要側面図であり、
【図３】  図３は本発明のメタルハライドランプ又は水銀灯の冷却装置とその冷却方法の実施例のデータを対比した再点灯時間と温度を表すグラフである。
【符号の説明】
【００２８】  １      メタルハライドランプ又は水銀灯
１ａ    石英発光管
１ｂ    電極
１ｃ    外部リード線
２      外側ガラス管
２ａ    エア流通路
３      冷却用送風ファン
【手続補正２】
【補正対象書類名】特許請求の範囲
【補正対象項目名】全文
【補正方法】変更
【補正の内容】
【特許請求の範囲】
【請求項１】
直管型ロングアークのメタルハライドランプ又は水銀灯において、前記メタルハライドランプ又は水銀灯を外側にエア流通路を設けて内装させた外側ガラス管と、該外側ガラス管の片方の開口端に内設した冷却用送風ファンを備えたことを特徴とするメタルハライドランプ又は水銀灯の冷却装置。
【請求項２】
前記冷却用送風ファンはメタルハライドランプ又は水銀灯の点灯時消灯時共に連続させて稼動させることを特徴とする請求項１に記載のメタルハライドランプ又は水銀灯の冷却方法。
【請求項３】
前記冷却用送風ファンはメタルハライドランプ又は水銀灯の消灯時に稼動させ点灯時には停止させることを特徴とする請求項１に記載のメタルハライドランプ又は水銀灯の冷却方法。